(57)【要約】【課題】  使用環境に対する信頼性を向上させるとともに、製造の容易化、低コスト化を実現することができる車両用回転電機を提供すること。【解決手段】  固定子鉄心３１は、背厚部３１１とティース部３１２とティース先端部３１３とを有する。スロット３１４に収容された電機子巻線は、複数のセグメント導体３３の端部同士を接合することによって形成される。複数のセグメント導体３３がスロット３１４の内部で一列に配置されている。スロット３１４は、外径側から内径側に向かって次第に周方向幅が狭く設定されている。スロット３１４内に収容されて最内径側に配置されたセグメント導体３３は、周方向に沿った両側面がスロット３１４の周方向側面に当接することで、スロット３１４内の所定位置に、ティース先端部３１３との間に所定の径方向隙間３１６を介した状態で係止されている。【選択図】        図２
2006340409.tif 000002
【特許請求の範囲】
【請求項１】
回転子と、前記回転子の外径側に配置された固定子鉄心とこの固定子鉄心に装備された電機子巻線とを有する固定子とを備え、前記固定子鉄心は、外径側から内径方向に向かって所定厚みを有する背厚部と、この背厚部から内周側に突出したティース部と、前記ティース部の最内周部から周方向に延在するティース先端部とを有し、前記背厚部と前記ティース部と前記ティース先端部とで包囲された空間としてのスロットに前記電機子巻線が収容され、前記電機子巻線は複数のセグメント導体の端部同士を接合することによって形成され、複数の前記セグメント導体が前記スロットの内部で一列に配置されている車両用回転電機において、
前記スロットは、外径側から内径側に向かって次第に周方向幅が狭く設定されており、
前記スロット内に収容されて最内径側に配置された前記セグメント導体は、周方向に沿った両側面が前記スロットの周方向側面に当接することで、前記スロット内の所定位置に、前記ティース先端部との間に所定の径方向隙間を介した状態で係止されていることを特徴とする車両用回転電機。
【請求項２】
請求項１において、
最内径側に配置された前記セグメント導体は、前記固定子鉄心の外径側から内径側に向かって周方向幅を狭く設定することを特徴とする車両用回転電機。
【請求項３】
請求項１または２において、
最内径側に配置された前記セグメント導体は、断面が矩形形状であって、前記スロットの周方向側面に対向する平面からなる側面を有することを特徴とする車両用回転電機。
【請求項４】
請求項１〜３のいずれかにおいて、
径方向に一列に配置された状態で前記スロットに収容された複数の前記セグメント導体のそれぞれは、ほぼ同一の断面形状を有していることを特徴とする車両用回転電機。
【請求項５】
請求項１〜４のいずれかにおいて、
前記セグメント導体は、ターン部を有するＵ字形状を有しており、
２つの前記セグメント導体の反ターン部側端部同士を接合することによって前記電機子巻線を形成することを特徴とする車両用回転電機。
【発明の詳細な説明】
【技術分野】
【０００１】
本発明は、乗用車やトラック等の乗り物に搭載されて内燃機関により駆動される車両用回転電機に関する。
【背景技術】
【０００２】
近年、安全制御機器等の電気負荷の増加や、エンジンルームの過密化により、車両用交流発電機には小型・高出力化が求められている。また、燃費向上の要請からも、高効率化が求められている。
【０００３】
このような要求に応えるために、車両用交流発電機の内部抵抗の低減や主要損失である銅損の低減を目的として、平角断面の複数のセグメント導体同士を接合して多相巻線を形成する車両用交流発電機が提案されている（例えば、特許文献１参照。）。この車両用交流発電機では、長方形形状のスロットに固定子鉄心の軸方向から長方形断面のセグメント導体を挿入し、その後にセグメント導体を周方向に折り曲げ接続することで巻線間の干渉を防止し高占積、低抵抗の固定子を実現している。
【特許文献１】特開２０００−１４０６８号公報（第３−６頁、図１−５）
【発明の開示】
【発明が解決しようとする課題】
【０００４】
しかし、上述した従来の車両用交流発電機では、以下に示すような問題があった。セグメント導体を周方向に折り曲げる際、または、セグメント導体を接合する際に、セグメント導体には周方向に力が働くが、折り曲げ加工のときに直線状に曲げられたセグメント導体同士を円環状に接合することにより生じる歪みによって、セグメント導体の周方向に加わる力の一部は、内径方向の力に変換される。この内径方向の力は全てのセグメント導体について発生し、その合力が最内層のセグメント導体に作用するため、最内層のセグメント導体には固定子鉄心のティース先端部との間で、高い応力が発生してしまう。
【０００５】
特に、隣接するティース先端部間の磁束漏洩防止のため、ティース先端部の平面形状は、直角に近いエッジ部を持つので、このエッジ部に上述した内径方向の応力が集中し、しかもこのエッジ部には、積層板を重ねて固定子鉄心を形成する場合に各積層板をプレス成形によって製造する際にバリが発生し易いことから、エッジ部と接する絶縁紙が破れ易くなる。また、エッジ部とセグメント導体との間で高い応力が発生すると、絶縁紙の破れに至らなくても、セグメント導体の被膜には亀裂や剥がれが生じやすくなる。車両用交流発電機は車両に搭載されているため、外部から水や塩化物、あるいはカーシャンプーなどの導電性物が侵入する可能性があり、このような場合にはセグメント導体の腐食や絶縁被膜の劣化に至ることになる。これらの要因により、セグメント導体と固定子鉄心との間で絶縁不良が発生しやすくなり、使用環境に対する信頼性が低下するという問題があった。
【０００６】
セグメント導体とスロット間の隙間を少なくして、セグメント導体を動きにくくする等の対策が考えられるが、このようにすると、セグメント導体の挿入が難しくなり、製造時間が長くなってコストが上昇するという新たな問題が生じる。
【０００７】
本発明は、このような点に鑑みて創作されたものであり、その目的は、使用環境に対する信頼性を向上させるとともに、製造の容易化、低コスト化を実現することができる車両用回転電機を提供することにある。
【課題を解決するための手段】
【０００８】
上述した課題を解決するために、本発明の車両用回転電機は、回転子と、回転子の外径側に配置された固定子鉄心とこの固定子鉄心に装備された電機子巻線とを有する固定子とを備え、固定子鉄心は、外径側から内径方向に向かって所定厚みを有する背厚部と、この背厚部から内周側に突出したティース部と、ティース部の最内周部から周方向に延在するティース先端部とを有し、背厚部とティース部とティース先端部とで包囲された空間としてのスロットに電機子巻線が収容され、電機子巻線は複数のセグメント導体の端部同士を接合することによって形成され、複数のセグメント導体がスロットの内部で一列に配置されている。また、上述したスロットは、外径側から内径側に向かって次第に周方向幅が狭く設定されており、スロット内に収容されて最内径側に配置されたセグメント導体は、周方向に沿った両側面がスロットの周方向側面に当接することで、スロット内の所定位置に、ティース先端部との間に所定の径方向隙間を介した状態で係止されている。これにより、セグメント導体の固定子鉄心から突出している部分の折り曲げ時に周方向に外力が加わって、セグメント導体に内径方向の力が作用しても、最内径側に配置されたセグメント導体とティース先端部とが直接接触することがないため、セグメント導体の表面に形成された絶縁被膜の損傷やセグメント導体と固定子鉄心間に配置された絶縁部材の破損を防止することができ、良好な絶縁状態の確保による使用環境に対する信頼性向上が可能になる。また、固定子鉄心の各スロットにセグメント導体を挿入する場合に、外径側に挿入した後に内径側の所定位置まで移動させるようにすれば、挿入時にセグメント導体の周囲に十分な隙間を確保することができるため、挿入性を損なうことなく製造の容易化、低コスト化を実現することができる。
【０００９】
また、上述した最内径側に配置されたセグメント導体は、固定子鉄心の外径側から内径側に向かって周方向幅を狭く設定することが望ましい。これにより、最内径側のセグメント導体の周方向側面をスロットの周方向側面と対向させて、セグメント導体とティース先端部との間に径方向隙間を持たせた状態でセグメント導体を係止することが容易となる。
【００１０】
また、上述した最内径側に配置されたセグメント導体は、断面が矩形形状であって、スロットの周方向側面に対向する平面からなる側面を有することが望ましい。これにより、セグメント導体とスロット側面とが接触する当接面を広くすることができるため、セグメント導体表面あるいは絶縁部材に発生する応力集中を低減することができ、セグメント導体表面の絶縁被膜や絶縁部材の破損をさらに低減して信頼性を向上させることが可能となる。
【００１１】
また、上述した径方向に一列に配置された状態でスロットに収容された複数のセグメント導体のそれぞれは、ほぼ同一の断面形状を有していることが望ましい。これにより、複数のセグメント導体を同一素材（例えば連続線）から形成することが可能になり、部品コストを下げることができる。
【００１２】
また、上述したセグメント導体は、ターン部を有するＵ字形状を有しており、２つのセグメント導体の反ターン部側端部同士を接合することによって電機子巻線を形成することが望ましい。これにより、セグメント導体の部品点数と接合箇所の数を減らすことができ、製造の容易化による低コスト化を図ることができる。
【発明を実施するための最良の形態】
【００１３】
以下、本発明の車両用回転電機を適用した一実施形態の車両用交流発電機について、図面を参照しながら詳細に説明する。図１は、一実施形態の車両用交流発電機の断面図である。図１に示すように、本実施形態の車両用交流発電機１は、界磁として働く回転子２と、電機子として働く固定子３と、これらの回転子２および固定子３を支持するハウジング４と、固定子３に接続されて交流電力を直流に変換する整流器５と、回転子２の界磁電流量を増減して発電量を制御する電圧調整器１１とを含んで構成されている。
【００１４】
回転子２は、シャフト６と一体になって回転するものであり、ランデル型ポールコア２１、冷却ファン２２、２３、界磁コイル２４、スリップリング２５、２６等によって構成されている。固定子３は、固定子鉄心３１と、電機子巻線３２と、固定子鉄心３１と電機子巻線３２とを電気絶縁するシート状の絶縁部材３４とで構成されている。この固定子３は、回転子２の外周側に対向配置され、一対のハウジング４によって支持されている。固定子鉄心３１は、薄い鋼板シートを重ね合わせて円環状に形成されている。
【００１５】
図２は、固定子３の部分断面図である。また、図３は電機子巻線３２を構成するセグメント導体の斜視図である。図４は、固定子３の一方のコイルエンド形状を示す部分的な斜視図である。図２に示すように、固定子鉄心３１は、外径側から径方向に沿って所定厚みを有する背厚部３１１と、この背厚部３１１から内径側に突出したティース部３１２と、ティース部３１２の最内周部から周方向に突出して延在するティース先端部３１３とを備えている。背厚部３１１とティース部３１２とティース先端部３１３とで包囲された空間（予空間）によってスロット３１４が形成される。同一のスロット３１４に対応して周方向に隣り合う２つのティース先端部３１３の対向面の端部には、ほぼ直角の角度をなすティースエッジ部３１５が形成されている。
【００１６】
スロット３１４には電機子巻線３２が収容されている。この電機子巻線３２は、図３に示すセグメント導体３３の端部同士を接合することによって形成されている。本実施形態では、電機子巻線３２を構成する４本のセグメント導体３３が、径方向に一列に配列された状態で各スロット３１４に収容されている。また、これらのセグメント導体３３は、少なくともスロット３１４に収容された部分の断面が矩形形状であって、スロット３１４の周方向側面に対向する平面からなる側面を有している。
【００１７】
セグメント導体３３は、図３に示すように、スロット３１４内に位置する部分３３ｈから一方の先端部３３ｉのみをあらかじめ成形しておいて、この先端部３３ｉと反対側の先端部３３ｊからスロット３１４内に軸方向に沿って挿入した後に、この反対側の先端部３３ｊを図３に示すＰ方向に、すなわち円環形状の固定子鉄心３１の周方向に折り曲げる。その後、図４に示すように、先端部３３ｊ同士を溶接、ろう付け等により接合することで（先端部３３ｉについても同様に接合する）、多相巻線の各相を含む電機子巻線３２が形成される。
【００１８】
また、セグメント導体３３と固定子鉄心３１の間には、４本のセグメント導体３３の周囲を包囲するように絶縁部材３４が介在しており、これらの間の電気絶縁が確保されている。なお、各セグメント導体の周囲には絶縁皮膜が形成されており、隣接するセグメント導体３３同士の電気絶縁が図られている。
【００１９】
本実施形態の固定子鉄心３１に形成された各スロット３１４は、外径側から内径側に向かって次第に周方向幅が狭く設定されている。また、図２に示す例では、スロット内３１４に収容されて最内径側に配置されたセグメント導体３３ａは、固定子鉄心３１の外径側から内径側に向かって周方向幅が次第に狭くなっており、周方向に沿った両側面がスロット３１４の周方向側面に当接している。これにより、このセグメント導体３３ａは、スロット３１４内の所定位置に、ティース先端部３１３との間に所定の径方向隙間３１６を介した状態で係止されている。
【００２０】
このように、スロット３１４内で最内径側に配置されたセグメント導体３３とティース先端部３１３との間に径方向隙間３１６が形成された状態でこのセグメント導体３３が係止されているため、セグメント導体３３の固定子鉄心３１から突出している部分の折り曲げ時に周方向に外力が加わってセグメント導体３３に内径方向の力が作用しても、最内径側に配置されたセグメント導体３３とティースエッジ部３１５とが直接接触することがない。これにより、ティースエッジ部３１５にセグメント導体３３の一部が押圧されて発生するセグメント導体３３表面の絶縁被膜の損傷や絶縁部材３４の破損を防止することができ、良好な絶縁状態の確保による使用環境に対する信頼性向上が可能になる。また、固定子鉄心３１の各スロット３１４にセグメント導体３３を挿入する場合に、外径側に挿入した後に内径側の所定位置まで移動させるようにすれば、挿入時にセグメント導体３３の周囲に十分な隙間を確保することができるため、挿入性を損なうことなく製造の容易化、低コスト化を実現することができる。
【００２１】
また、少なくとも最内径側に配置されたセグメント導体３３の周方向幅が固定子鉄心３１の外径側から内径側に向かって狭くなるようにすることで、このセグメント導体３３の周方向側面をスロット３１４の周方向側面と対向させて、セグメント導体３３とティース先端部３１３との間に径方向隙間３１６を持たせた状態でセグメント導体３３を係止することが容易となる。
【００２２】
さらに、少なくとも最内径側に配置されたセグメント導体３３は、断面が矩形形状であって、スロット３１４の周方向側面に対向する平面からなる側面を有している。これにより、セグメント導体３３とスロット３１４の側面とが接触する当接面を広くすることができるため、セグメント導体３３表面あるいは絶縁部材３４に発生する応力集中を低減することができ、セグメント導体３３表面の絶縁被膜や絶縁部材３４の破損をさらに低減して信頼性を向上させることが可能となる。
【００２３】
なお、本発明は上記実施形態に限定されるものではなく、本発明の要旨の範囲内において種々の変形実施が可能である。上述した実施形態では、スロット３１４内に収容された４本のセグメント導体３３は、内径側から外径側に位置するセグメント導体３３の方が周方向幅が広く設定されていたが、図５に示すように、４本のセグメント導体３３の断面形状を全て同一の台形形状としてもよい。これにより、セグメント導体３３の種類を少なくすることができるとともに、各セグメント導体３３を同一素材（例えば連続線）から形成することが可能になるため、部品コストを下げることができる。
【００２４】
また、図６に示すように、最内径側のセグメント導体３３ａのみを矩形断面とし、これをストッパーとして機能させ、その他のセグメント導体３３２を他の形状、例えばほぼ円形断面としてもよい。この場合も、最内周側に配置されたセグメント導体３３とティース先端部３１３との間に径方向隙間３１６を確保することができる点は同じであり、信頼性の向上とコスト低減が可能となる。
【００２５】
また、図７に示すように、スロット３１４の内壁面（周方向側面）と対向する平面を側面として有するセグメント導体であれば、断面は台形形状でなくてもよい。例えば、図７に示すように、断面が多角形形状（例えば八角形）のセグメント導体３３３を用いるようにしてもよい。
【００２６】
また、図８に示すように、Ｕ字ターン部３３Ｃを持つセグメント導体３３４を用いてもよい。図３に示した直線状のセグメント導体３３に対して、セグメント導体３３４の本数と接合箇所の数を減らすことができるため、製造の容易化による低コスト化を図ることができる。
【００２７】
また、上述した実施形態では、あらかじめ矩形断面を持つセグメント導体３３を用いたが、より汎用性のある円形断面の銅線等を用い、スロット３１４内に配置される部分のみの断面を矩形形状に加工して用いるようにしてもよい。このとき、より汎用性のある線材を用いることにより、セグメント導体自体のコスト低減が可能となる。
【図面の簡単な説明】
【００２８】
【図１】一実施形態の車両用交流発電機の断面図である。
【図２】固定子の部分断面図である。
【図３】電機子巻線を構成するセグメント導体の斜視図である。
【図４】固定子の一方のコイルエンド形状を示す部分的な斜視図である。
【図５】セグメント導体の他の例を示す固定子の部分断面図である。
【図６】セグメント導体の他の例を示す固定子の部分断面図である。
【図７】セグメント導体の他の例を示す固定子の部分断面図である。
【図８】セグメント導体の他の例を示す斜視図である。
【符号の説明】
【００２９】
１  車両用交流発電機
２  回転子
３  固定子
３１  固定子鉄心
３１１  背厚部
３１２  ティース部
３１３  ティース先端部
３１４  スロット
３１５  ティースエッジ部
３１６  径方向隙間
３２  電機子巻線
３３  セグメント導体
３４  絶縁部材
４  ハウジング
【図１】
2006340409.tif 000003
【図２】
2006340409.tif 000004
【図３】
2006340409.tif 000005
【図４】
2006340409.tif 000006
【図５】
2006340409.tif 000007
【図６】
2006340409.tif 000008
【図７】
2006340409.tif 000009
【図８】
2006340409.tif 000010